(57)【要約】【課題】複写装置の設定を簡易に行なう。【解決手段】コード番号入力手段と、コード番号と複写設定とを対応付けて記憶した第１の記憶手段と、入力されたコード番号に対応づけられた複写設定にしたがって複写処理を行なう複写手段とを備えることを特徴とする複写装置。【選択図】図１
2007187764.tif 000002
【特許請求の範囲】
【請求項１】
コード番号入力手段と、
コード番号と複写設定とを対応付けて記憶した第１の記憶手段と、
入力されたコード番号に対応づけられた複写設定にしたがって複写処理を行なう複写手段とを備えることを特徴とする複写装置。
【請求項２】
請求項１に記載の複写装置であって、
表示手段と、
入力されたコード番号に対応付けられた複写設定を前記表示手段に表示する設定確認手段とをさらに備えることを特徴とする複写装置。
【請求項３】
請求項２に記載の複写装置であって、
前記設定確認手段は、あらかじめ設定を確認する指示を受け付けている場合に、入力されたコード番号に対応付けられた複写設定を前記表示手段に表示することを特徴とする複写装置。
【請求項４】
請求項１に記載の複写装置であって、
前記複写手段は、入力されたコード番号に対応づけられた複写設定がさらに別の設定を要するものである場合には、前記別の設定の入力を受け付けてから複写処理を開始することを特徴とする複写装置。
【請求項５】
請求項４に記載の複写装置であって、
前記別の設定の入力を受け付けた場合に、入力されたコード番号に対応づけられた複写設定および入力された別の設定を含めた設定に対応するコード番号をユーザから受け付けて登録するコード番号登録手段をさらに備えることを特徴とする複写装置。
【請求項６】
請求項１に記載の複写装置であって、
音声入力手段と、
登録指示として入力された音声情報と前記入力されたコード番号とを対応付けて記憶する第２の記憶手段とをさらに備え、
前記複写手段は、複写指示として入力された音声情報に対応付けられて前記第２の記憶手段に記憶されたコード番号に対応付けられた複写設定にしたがって複写処理を行なうことを特徴とする複写装置。
【請求項７】
請求項６に記載の複写装置であって、
表示手段と、
複写指示として入力された音声情報に対応付けられて前記第２の記憶手段に記憶されたコード番号に対応付けられた複写設定を前記表示手段に表示する設定確認手段とをさらに備えることを特徴とする複写装置。
【発明の詳細な説明】
【技術分野】
【０００１】
本発明は、複写装置に係り、特にユーザからの設定をコード番号で受け付ける複写装置に関する。
【背景技術】
【０００２】
従来、複写装置等において複写枚数、用紙選択等の設定を行なう場合には、操作パネルに表示されるメニューにしたがって操作ボタン等を操作することにより行なっていた。しかしながら、メニューは階層構造になっている場合が多く、目的とする設定項目になかなか行き着けないことがあった。
【０００３】
この操作の煩雑さや複雑さを解消するため、特許文献１には、設定用紙に記入された設定内容を読み取って、読み取った内容にしたがった設定を行なう画像形成装置が開示されている。
【０００４】
【特許文献１】特開２００３−１９８７７０号公報
【発明の開示】
【発明が解決しようとする課題】
【０００５】
特許文献１に記載された画像形成装置では、メニュー操作の煩雑さや複雑さを解消することができるが、設定を行なうたびに設定用紙を準備しなければならず、依然としてユーザの負担は大きく、必ずしも簡易なものとはいえない。
【０００６】
本発明は、複写装置の設定を簡易に行なうことを目的とする。
【課題を解決するための手段】
【０００７】
上記課題を解決するため本発明によれば、
コード番号入力手段と、
コード番号と複写設定とを対応付けて記憶した第１の記憶手段と、
入力されたコード番号に対応づけられた複写設定にしたがって複写処理を行なう複写手段とを備えることを特徴とする複写装置が提供される。
【０００８】
本発明の複写装置は、コード番号により複写設定を行なうことができるため、複写装置の設定を簡易に行なうことができる。
【０００９】
ここで、表示手段と、
入力されたコード番号に対応付けられた複写設定を前記表示手段に表示する設定確認手段とをさらに備えることができる。
【００１０】
これにより、ユーザは希望する複写設定が行なわれているかを確認することができる。
【００１１】
また、前記設定確認手段は、あらかじめ設定を確認する指示を受け付けている場合に、入力されたコード番号に対応付けられた複写設定を前記表示手段に表示することが望ましい。
【００１２】
また、前記複写手段は、入力されたコード番号に対応づけられた複写設定がさらに別の設定を要するものである場合には、前記別の設定の入力を受け付けてから複写処理を開始することができる。
【００１３】
これにより、複写枚数等の設定を受け付けることができるようになる。
【００１４】
さらに、前記別の設定の入力を受け付けた場合に、入力されたコード番号に対応づけられた複写設定および入力された別の設定を含めた設定に対応するコード番号をユーザから受け付けて登録するコード番号登録手段を備えることができる。この際、動作まで開始するか、設定のみの登録かを選択できるようにしてもよい。
【００１５】
これにより、複写枚数の設定を省くことができる。
【００１６】
また、音声入力手段と、
登録指示として入力された音声情報と前記入力されたコード番号とを対応付けて記憶する第２の記憶手段とをさらに備え、
前記複写手段は、複写指示として入力された音声情報に対応付けられて前記第２の記憶手段に記憶されたコード番号に対応付けられた複写設定にしたがって複写処理を行なうようにしてもよい。
【００１７】
音声入力により複写設定を行なうことができるため、複写装置の設定を簡易に行なうことができる。
【発明を実施するための最良の形態】
【００１８】
本発明の実施の形態について図面を参照して説明する。
【００１９】
図１は、本実施形態の複写装置１００のハードウェア構成を説明するためのブロック図である。なお、本発明の複写装置１００は、いわゆるコピー装置のみならず、スキャナ機能とプリンタ機能とを備えた複合機、ファクシミリ装置、その他のユーザの指示に基づいて読み取り動作等を行なう装置に適用することができる。
【００２０】
本図に示すように、複写装置１００は、制御基板１１０、スキャナエンジン１２０、プリンタエンジン１３０、コネクタ１４０、操作パネル１５０を備えて構成される。
【００２１】
制御基板１１０は、ＣＰＵ、ＳＤＲＡＭ、ＲＯＭ、ＦｌａｓｈＲＯＭ、メモリ制御装置、画像処理装置、通信制御装置等を備え、ＲＯＭに記録されたプログラムにしたがって複写装置１００における各種処理を制御する。
【００２２】
スキャナエンジン１２０は、複写装置１００の筐体に設けられた原稿台（図示せず）に載せられた原稿の読み取り面に光を照射し、ラインセンサで反射光を読み取りながら走査することで原稿の２次元画像データを読み取る。具体的には、ガラス等の透明板からなる原稿台、光源・ミラー・集光レンズ・ラインセンサ等が搭載されたキャリッジ、キャリッジを原稿台に対して平行運動させる駆動機構等を備えている。
【００２３】
プリンタエンジン１３０は、給排紙機構、印字機構等を備え、画像データに基づく印刷を実行する。印字機構の印字方式としては、レーザ方式・インクジェット方式等が代表的であるが、本発明はいずれの印字方式にも適用することができる。
【００２４】
コネクタ１４０は、外部機器、ネットワーク等に接続するための機構である。
【００２５】
操作パネル１５０は、ユーザからの操作を受け付けたり、ユーザに対してメニュー等の表示を行なう。このため、表示装置１５１と操作ボタン１５２とを備えている。表示装置１５１と操作ボタン１５２は、例えば、タッチパネル式の液晶表示装置を用いて一体化するようにしてもよい。
【００２６】
また、本実施例では、操作パネル１５０は、ユーザからの音声入力を受け付けるマイク１５３およびユーザに対して音声出力を行なうスピーカ１５４を備えている。
【００２７】
図３は、操作パネル１５０の外観の一例を示す図である。本図の例では、表示装置１５１として操作ボタン１５２の機能も有するタッチパネル式の液晶表示装置１５１を用いている。ここでは領域１５２ａに操作ボタンが複数配置されている。また、音声入力を行なうためのマイク１５３と、音声入力を行なう指示をするための入力ボタン１５２ｂが配置され、さらに、音声出力を行なうためにスピーカ１５４が配置されている。
【００２８】
図２は、本実施形態の複写装置１００の機能構成を説明するためのブロック図である。
【００２９】
本図に示すように、複写装置１００は、制御部１０、読み取り処理部２０、印刷処理部３０、ユーザインタフェース部４０、表示装置１５１によるメニュー等の表示処理を行なう表示処理部５０、操作ボタン１５２による操作受け付け処理を行なう操作受付処理部６０、マイク１５３による音声入力受付処理を行なう音声入力処理部７０を機能部として有している。
【００３０】
制御部１０は、ユーザインタフェース部４０により受け付けた複写指示および複写設定に基づいて複写装置１００における複写処理を制御する。ここで、複写設定には、カラーモード・原稿タイプ・用紙選択・複写枚数等の設定が含まれる。
【００３１】
読み取り処理部２０は、スキャナエンジン１２０による画像読み取り処理を行ない、印刷処理部３０は、プリンタエンジン１３０による印刷処理を行なう。
【００３２】
ユーザインタフェース部４０は、表示処理部５０におけるメニュー等の表示処理の制御と、操作受付処理部６０におけるカラーモード・原稿タイプ・用紙選択等の複写条件の設定を受け付ける処理の制御と、音声入力処理部７０における音声入力処理の制御とを行なう。
【００３３】
さらに、本実施例では、ユーザインタフェース部４０は、複写装置１００における各種処理のための設定とコード番号とを対応させておき、コード番号による設定の指示を受け付けるためのコード情報管理部４１と、ユーザが入力した音声を解析してあらかじめユーザが登録したキーワードを認識する音声認識部４２と、ユーザからのコード番号登録・キーワード音声登録を受け付ける登録処理部４３とを備えている。
【００３４】
図４は、コード情報管理部４１が管理するコード番号表の例を示す図である。本図に示すように、コード番号表は、コード番号と複写装置１００における各種設定内容とを対応付けたものであり、例えば、コード番号「０００００」は、カラーモードが「モノクロ」であり、原稿タイプが「文字」であり、印刷面が「片→片」であり、用紙選択が「自動」であり、１部スタートが「オン」であることを示している。
【００３５】
なお、上位の０は省略可能として、使用頻度が高い設定については少ない桁数の数字を割り振ることが望ましい。また、簡易版／詳細版のコード番号表を設けてユーザの利便性を高めるようにしてもよい。さらには、設定項目毎に番号を割り振るようにしてもよい。
【００３６】
ここで、１部スタート「オン」は、入力コード番号確定により即座に１部の複写を開始する設定であり、１部スタート「オフ」は、入力コード番号確定後、部数の設定を受け付けた上で複写を開始する設定である。
【００３７】
また、図中のコード番号「９９９９９」は、デフォルトの設定を意味し、コード番号入力を受け付けずに複写開始の指示を受け付けた場合に適用する設定である。
【００３８】
音声認識部４２は、従来の音声認識技術を用いて構成することができるため、ここでは説明を省略する。
【００３９】
図５は、登録処理部４３が管理する登録データの例を示す図である。本図に示すように、登録処理部４３は、コード登録情報４３１とキーワード登録情報４３２とを登録データとして管理する。ユーザが登録したコード登録情報４３１およびキーワード登録情報４３２は、例えば、制御基板に実装されたＦｌａｓｈＲＯＭに不揮発的に記録しておくようにする。
【００４０】
コード登録情報４３１は、コード番号部４３１ａと設定内容部４３１ｂとを有し、ユーザが特定の設定内容に対して独自にコード番号を登録した場合に、コード番号と設定内容とを対応させて記録される。
【００４１】
キーワード登録情報４３２は、コード番号部４３２ａとキーワード音声情報部４３２ｂとを有し、ユーザが特定のコード番号に対して音声でキーワードを登録した場合に、コード番号とキーワード音声情報とを対応させて記録される。なお、キーワード音声情報の記録フォーマットは問わない。
【００４２】
つぎに、本実施例における複写装置１００の処理について説明する。本実施例では、ユーザからコード番号の入力を受け付けてコード番号に対応した処理を行なう場合と、ユーザからキーワードの音声入力を受け付けて、キーワードに対応した処理を行なう場合とがある。
【００４３】
まず、図６のフロー図を参照して、コード番号の入力を受け付けてコード番号に対応した処理を行なう場合について説明する。
【００４４】
本処理は、複写装置１００がユーザからコード番号の入力を受け付けることで開始する（Ｓ１０１）。コード番号の入力受け付けは、例えば、図３に示すように、タッチパネル上に表示されたテンキー操作により受け付けることができる。入力された数字は画面上で確認できるようになっている。
【００４５】
なお、タッチパネル上には従来のメニュー操作を行なうための「メニュー設定」ボタンも配置されている。これによりユーザは自分にとって使い勝手のよい方の設定方法を選択することができるようになっている。
【００４６】
ユーザは、テンキー操作により、これから行なおうとする複写処理の設定に対応したコード番号を入力し、タッチパネル上に表示されたスタートボタンをタッチすればよい。なお、複写処理の設定に対応したコード番号は、例えば、一覧表にして複写装置１００のマニュアルに添付しておくようにする。
【００４７】
ユーザは、入力したコード番号について音声でキーワードを登録することができる（Ｓ１０２）。すなわち、任意のキーワードを音声で登録しておけば、以後はコード番号を入力せずに、キーワードを音声で入力することにより、コード番号を入力した場合と同じ複写処理の設定を行なうことができる。
【００４８】
音声によるキーワードの登録指示は、例えば、図３に示すように、タッチパネル上に表示された「音声登録」ボタンをタッチすることで行なうことができる。そして、音声入力ボタン１５２ｂを押しながらマイク１５３に向かってキーワードを音声で入力すると、登録処理部４３が、入力されたキーワードの音声情報と処理（Ｓ１０１）で入力されたコード番号とを対応させてキーワード登録情報４３２として記録する（Ｓ１０３）。
【００４９】
コード番号が入力された状態でスタートボタンがタッチされると（Ｓ１０４）、動作確認モードの場合（Ｓ１０５：Ｙ）には、そのコード番号に対応した設定内容を表示装置１５１に表示する（Ｓ１０６）。表示する内容は、例えば、カラーモード・原稿タイプ・印刷面等のそれぞれについての設定内容とすることができる。
【００５０】
ここで、動作確認モードとは、ユーザが入力したコード番号に対応した設定内容を実行前に確認するためのモードであり、例えば、図３に示すような「確認モード」ボタンにより、ユーザがあらかじ設定しておくことができるようになっている。動作確認モードを用いることにより、ユーザは、希望する複写設定が行なわれているかどうかを容易に確認することができるようになる。
【００５１】
ユーザは、表示された設定内容が希望するものでない場合（Ｓ１０７：Ｎ）には、再度コード番号の入力を行なうことができる（Ｓ１０１）。
【００５２】
一方、表示された設定内容がユーザの希望するものである場合（Ｓ１０７：Ｙ）には、複写装置１００は、入力されたコード番号に対応する処理が、設定項目を有するものであるどうかを判断する（Ｓ１０８）。例えば、上述の１部スタートが「オフ」に設定されているコード番号が入力された場合には、複写枚数が設定項目として必要となる。また、複写装置１００がファクシミリ機能を有する場合に、ファクシミリ送信指示に対応するコード番号が入力されると送信先ファクシミリ番号が設定項目として必要となる。
【００５３】
設定項目が必要な場合（Ｓ１０８：Ｙ）には、その項目に対応した入力画面を表示してユーザから設定を受け付ける（Ｓ１０９）。
【００５４】
このときの設定項目の内容を含めた一連の処理に対して、新たなコード番号を登録することができる。これにより同じ処理を行なう場合に、登録したコード番号を入力することにより、複写枚数を設定したり、送信先ファクシミリ番号を設定する必要がなくなる。
【００５５】
ユーザからコード番号の登録指示を受け付けた場合（Ｓ１１０：Ｙ）には、テンキー操作等により新たなコード番号の入力を受け付け、処理（Ｓ１０９）で受け付けた設定項目を含めた処理内容と、入力された新たなコード番号とを対応させて、登録処理部４３がコード登録情報４３１として記録する（Ｓ１１１）。
【００５６】
ここで、スタート「オン」設定で登録すると、以降はコード番号を入力してスタートボタンを押下するだけでファクシミリ送信等まで実施できる。スタート「オフ」設定で登録すると、以降はコード番号を入力してスタートボタンを押下すると、設定項目を入力するため機能に応じた設定画面（ここではファクシミリ基本画面）が開き、その画面で残りの設定を行ない、再度スタートボタンを押下することでファクシミリ送信を開始する。
【００５７】
新たに登録したコードに対しても音声でキーワードを登録することができる。登録処理部４３は、ユーザから音声登録指示を受け付けると（Ｓ１１２：Ｙ）、上述のような手順によりキーワードの音声入力を受け付け、音声入力されたキーワードと処理（Ｓ１１１）で受け付けた新たなコードとを対応させてキーワード登録情報４３２として記録する（Ｓ１１３）。
【００５８】
設定項目がない場合（Ｓ１０８：Ｎ）、あるいは、設定項目がある場合（Ｓ１０８：Ｙ）に設定項目を受け付けた状態でスタートボタンがタッチされると（Ｓ１１４）、複写装置１００は、入力されたコード番号および受け付けた設定項目の内容にしたがった複写処理を実行する（Ｓ１１５）。
【００５９】
このように、本実施例によれば、コード番号により複写設定を行なうことができるため、複写装置の設定を簡易に行なうことができる。
【００６０】
なお、ユーザがある設定について独自にコード番号を登録する際に、その設定がすでに登録済であるかどうかを確認できる機能を備えることが望ましい。
【００６１】
具体的には、コード番号の登録指示を受け付けた際に、対象となる設定がコード登録情報４３１に記録されているかどうかを判断する。そして、格納されていない場合には、入力された新たなコード番号とともにコード登録情報４３１に記録する。一方、すでに記録されている場合には、対応するコード番号を表示するとともに、コード番号を変更するかどうかをユーザに確認する。音声によるキーワード登録においても同様に、すでに登録されているかどうかを判断するようにしてもよい。
【００６２】
つぎに、図７のフロー図を参照して、キーワードの音声入力を受け付けてキーワードに対応した処理を行なう場合について説明する。
【００６３】
本処理は、複写装置１００がユーザからキーワードの音声入力を受け付けることで開始する（Ｓ２０１）。キーワードの音声入力は、上述のように、操作パネル１５０上で、音声入力ボタン１５２ｂを押しながらマイク１５３に向かってキーワードを発声することで行なうことができる。入力された音声は、音声認識部４２により解析される。
【００６４】
キーワードの音声入力を受け付けると、そのキーワードがキーワード登録情報４３２として登録されているかを判定する（Ｓ２０２）。
【００６５】
この結果、登録されていない場合（Ｓ２０２：Ｎ）には、エラーメッセージを表示して（Ｓ２０３）、再度キーワードの音声入力を待つ。
【００６６】
一方、登録されている場合（Ｓ２０２：Ｙ）には、キーワード登録情報４３２において、入力されたキーワードに対応付けられているコード番号を抽出して、以降の処理に進む。以降の処理は、上述のコード番号の入力を受け付けた場合の処理と重複する部分が多いため、簡単に説明する。
【００６７】
すなわち、動作確認モードの場合（Ｓ２０４：Ｙ）には、キーワードに対応付けられているコード番号に対応した設定内容を表示装置１５１に表示する（Ｓ２０５）。表示する内容は、例えば、カラーモード、原稿タイプ、印刷面等のそれぞれについての設定内容とすることができる。
【００６８】
ユーザは、表示された設定内容が希望するものでない場合（Ｓ２０６：Ｎ）には、再度キーワードの音声入力を行なうことができる（Ｓ２０１）。
【００６９】
一方、表示された設定内容がユーザの希望するものである場合（Ｓ２０６：Ｙ）には、複写装置１００は、入力されたキーワードに対応する処理が、設定項目を有するものであるどうかを判断する（Ｓ２０７）。
【００７０】
設定項目が必要な場合（Ｓ２０７：Ｙ）には、その項目に対応した入力画面を表示してユーザから設定を受け付ける（Ｓ２０８）。
【００７１】
このときの設定項目の内容を含めた一連の処理に対して、新たなコード番号を登録することができる。これにより同じ処理を行なう場合に、登録したコード番号を入力することにより、複写枚数を設定したり、送信先ファクシミリ番号を設定する必要がなくなる。
【００７２】
ユーザからコード番号の登録指示を受け付けた場合（Ｓ２０９：Ｙ）には、テンキー操作等により新たなコード番号の入力を受け付け、処理（Ｓ２０８）で受け付けた設定項目とスタート「オン」の有無とを含めた処理内容と、入力された新たなコード番号とを対応させて、登録処理部４３がコード登録情報４３１として記録する（Ｓ２１０）。
【００７３】
新たに登録したコードに対しても音声でキーワードを登録することができる。登録処理部４３は、ユーザから音声登録指示を受け付けると（Ｓ２１１：Ｙ）、キーワードの音声入力を受け付け、新たに音声入力されたキーワードと処理（Ｓ２１０）で受け付けた新たなコードとを対応させてキーワード登録情報４３２として記録する（Ｓ２１２）。
【００７４】
設定項目がない場合（Ｓ２０７：Ｎ）、あるいは、設定項目がある場合（Ｓ２０７：Ｙ）に設定項目を受け付けた状態でスタートボタンがタッチされると（Ｓ２１３）、複写装置１００は、音声入力されたキーワードに対応するコード番号および受け付けた設定項目の内容にしたがった複写処理を実行する（Ｓ２１４）。
【００７５】
このように、本実施例によれば、キーワードの音声入力により複写設定を行なうことができるため、複写装置の設定を簡易に行なうことができる。
【図面の簡単な説明】
【００７６】
【図１】複写装置のハードウェア構成を示すブロック図。
【図２】複写装置の機能構成を示すブロック図。
【図３】操作パネルの外観の一例を示す図。
【図４】コード情報管理部が管理するコード番号表の例を示す図。
【図５】登録処理部が管理する登録データの例を示す図。
【図６】コード番号の入力を受け付けて対応した処理を行なう場合のフロー図。
【図７】キーワード音声の入力を受け付けて対応した処理を行なう場合のフロー図。
【符号の説明】
【００７７】
１０…制御部、２０…読み取り処理部、３０…印刷処理部、４０…ユーザインタフェース部、４１…コード情報管理部、４２…音声認識部、４３…登録処理部、５０…表示処理部、６０…操作受付処理部、７０…音声入力処理部、１００…複写装置、１１０…制御基板、１２０…スキャナエンジン、１３０…プリンタエンジン、１４０…コネクタ、１５０…操作パネル、１５１…液晶表示装置、１５２…操作ボタン、１５３…マイク、１５４…スピーカ
【図１】
2007187764.tif 000003
【図２】
2007187764.tif 000004
【図３】
2007187764.tif 000005
【図４】
2007187764.tif 000006
【図５】
2007187764.tif 000007
【図６】
2007187764.tif 000008
【図７】
2007187764.tif 000009